(57)【要約】【課題】  最前進させたトレイが首振りしたりその前端が下がらないようにすること【解決手段】  ディスクＤ載置用トレイ１がローダーシャーシ２に前後進ａ，ｂ可能に配置され、ターンテーブル６と光ピックアップ８とを搭載したトラバースシャーシ３がローダーシャーシ２内に上下動可能に配置され、ローダーシャーシ２の前部に基準片２５が設けられ、該基準片２５に対向してトレイ１の裏面に前後進ａ，ｂ方向に沿って突条片２６が設けられており、トレイ１を最前進ａさせたときに突条片２６を基準片２５のピニオン対向側面２５ａに当接させて該トレイ１の首振りを防止するように形成され、トレイ１の裏面前部の中央にガイド枠１８が一つだけ突設され、トレイ１の裏面後部のトレイラック１６の近傍に錘３２が設けられている。【選択図】        図３
2008130148.tif 000002
【特許請求の範囲】
【請求項１】
ディスク載置用トレイがローダーシャーシに前後進可能に配置され、ターンテーブルと
光ピックアップとを搭載したトラバースシャーシが前記ローダーシャーシ内に上下動可能
に配置され、該ローダーシャーシの前部にカムスライダが前後進方向とは直交する左右方
向に沿ってスライド可能に配置され、該カムスライダとトラバースシャーシの前部とがカ
ム機構を介して連動連結され、前記ローダーシャーシの前部に第１ピニオンが正逆回転可
能に配置され、該第１ピニオンに噛合可能なカムラックが前記カムスライダに設けられ、
前記第１ピニオンに第２ピニオンが同心状に一体形成され、該第２ピニオンに噛合可能な
トレイラックが前記トレイの裏面に前後進方向に沿って形成され、前記カムスライダにガ
イドピンが突設されると共に、該ガイドピンに係合可能な傾斜面付きガイド枠がトレイの
裏面に突設されており、プレイモードで、ターンテーブルによりディスクを高速回転させ
て、該ディスクに記録されている情報を光ピックアップにより読み取り、トレイオープン
時に、カムラックを第１ピニオンに噛合させ、該第１ピニオンを正転させることによりカ
ムスライダを左右一方向にスライドさせ、カム機構を介してトラバースシャーシを下動さ
せることによりターンテーブルからトレイ上にディスクを移し替え、ガイドピンをガイド
枠の傾斜面に押しつけてトレイを若干前進させることによりトレイラックを第２ピニオン
に噛合させ、該第２ピニオンを正転させることによりトレイラックを介してトレイを前進
させるようにしたディスク装置において、前記ローダーシャーシの前部に基準片が設けら
れると共に、該基準片の第１、第２のピニオンに対向するピニオン対向側面が前後進方向
に沿って形成され、前記基準片に対向して前記トレイの裏面に前後進方向に沿って突条片
が設けられており、トレイを最前進させたときに突条片を基準片のピニオン対向側面に当
接させて該トレイの首振りを防止するように形成され、前記ガイド枠がトレイの裏面前部
の中央に一つだけ突設され、前記トレイの裏面後部のトレイラック近傍に錘が設けられて
いることを特徴とするディスク装置。
【請求項２】
ディスク載置用トレイがローダーシャーシに前後進可能に配置され、ターンテーブルと
光ピックアップとを搭載したトラバースシャーシが前記ローダーシャーシ内に上下動可能
に配置され、該ローダーシャーシの前部にカムスライダが前後進方向とは直交する左右方
向に沿ってスライド可能に配置され、該カムスライダとトラバースシャーシの前部とがカ
ム機構を介して連動連結され、前記ローダーシャーシの前部に第１ピニオンが正逆回転可
能に配置され、該第１ピニオンに噛合可能なカムラックが前記カムスライダに設けられ、
前記第１ピニオンに第２ピニオンが同心状に一体形成され、該第２ピニオンに噛合可能な
トレイラックが前記トレイの裏面に前後進方向に沿って形成され、前記カムスライダにガ
イドピンが突設されると共に、該ガイドピンに係合可能な傾斜面付きガイド枠がトレイの
裏面に突設されており、プレイモードで、ターンテーブルによりディスクを高速回転させ
て、該ディスクに記録されている情報を光ピックアップにより読み取り、トレイオープン
時に、カムラックを第１ピニオンに噛合させ、該第１ピニオンを正転させることによりカ
ムスライダを左右一方向にスライドさせ、カム機構を介してトラバースシャーシを下動さ
せることによりターンテーブルからトレイ上にディスクを移し替え、ガイドピンをガイド
枠の傾斜面に押しつけてトレイを若干前進させることによりトレイラックを第２ピニオン
に噛合させ、該第２ピニオンを正転させることによりトレイラックを介してトレイを前進
させるようにしたディスク装置において、前記ローダーシャーシの前部に基準片が設けら
れると共に、該基準片に対向してトレイの裏面に突条片が設けられており、トレイを最前
進させたときに突条片を基準片に当接させて該トレイの首振りを防止するようにしたこと
を特徴とするディスク装置。
【請求項３】
前記ガイド枠がトレイの裏面前部の中央に一つだけ突設されていることを特徴とする請
求項２に記載のディスク装置。
【請求項４】
前記トレイの裏面後部のトレイラックの近傍に錘が設けられていることを特徴とする請
求項２または３に記載のディスク装置。
【発明の詳細な説明】
【技術分野】
【０００１】
本発明は、例えばＤＶＤレコーダやＤＶＤプレーヤなどのディスク装置に関し、特に、
最前進させたトレイが首振りしたりその前端が下がることがないようにしたものである。
【背景技術】
【０００２】
従来、ディスク装置の一例として図８〜図１１に示すものがあり、図８は同プレイモー
ド状態を示す平面図、図９は同縦断面図、図１０は同トレイオープン状態を示す一部切欠
き平面図、図１１は同トレイの裏面側斜視図である。
【０００３】
図８〜図１１に示すように、これはＤＶＤレコーダであって、ディスクＤ載置用合成樹
脂製トレイ１が合成樹脂製ローダーシャーシ２に前後進ａ，ｂ可能に配置され、該ローダ
ーシャーシ２内にシャーシ本体３ａとレバーシフト３ｂとからなる合成樹脂製トラバース
シャーシ３が配置され、前記シャーシ本体３ａの後部がゴムからなる後側弾性体４を介し
てローダーシャーシ２に上下動ｃ，ｄ可能に連結されると共に、該シャーシ本体３ａの前
部がゴムからなる前側弾性体５を介してレバーシフト３ｂに連結され、前記シャーシ本体
３ａ上にターンテーブル６付きスピンドルモータ７とディスクＤの半径方向に移動可能な
対物レンズＯＬ付き光ピックアップ８とが搭載されている。
【０００４】
図９及び図１０に示すように、前記ローダーシャーシ２の前部にカムスライダ１０が前
後進ａ，ｂ方向とは直交する左右方向ｅ，ｆに沿ってスライド可能に配置され、該カムス
ライダ１０に形成したカム溝１１ａと、レバーシフト３ｂに突設されてカム溝１１ａに嵌
入するカムピン１１ｂとからなるカム機構１１によりカムスライダ１０とレバーシフト３
ｂとが連動連結されている。
【０００５】
図１０に示すように、前記ローダーシャーシ２の前部に第１ピニオン１３が正逆回転ｇ
，ｈ可能に配置され、該第１ピニオン１３に噛合可能なカムラック１４が前記カムスライ
ダ１０に設けられ、前記第１ピニオン１３に第２ピニオン１５が同心状に一体形成され、
該第２ピニオン１５に噛合可能なトレイラック１６が前記トレイ１の裏面に前後進ａ，ｂ
方向に沿って形成され、前記カムスライダ１０に左右一対のガイドピン１７が突設される
と共に、該各ガイドピン１７に係合可能な左右一対の傾斜面１８ａ付きガイド枠１８がト
レイ１の裏面に突設されている。
【０００６】
図１０中、２０はフィードモータ（図示せず）により正逆回転される第３ピニオンであ
って、光ピックアップ８のラック２１に噛合して、該光ピックアップ８を往復移動させる
。図８中、２２はローダーシャーシ２に架設した横桁２３の中央部に一定範囲内昇降可能
に嵌合するクランパであって、ターンテーブル６とでディスクＤをクランプする。
【０００７】
プレイモードでは、図８及び図９に実線で示すように、トレイ１が後進ｂしてローダー
シャーシ２内に収納されると共に、トラバースシャーシ３が上動ｃしてターンテーブル６
とクランパ２２とでディスクＤがクランプされ、スピンドルモータ７によりターンテーブ
ル６を介してディスクＤを高速回転させると共に、フィードモータにより第３ピニオン２
０及びラック２１を介して光ピックアップ８を往復移動させ、対物レンズＯＬからディス
クＤにレーザ光を投射し、その反射光に基づいてディスクＤに記録されている情報を読み
取る。
【０００８】
トレイオープン時には、図１０に示すように、フィードモータにより第３ピニオン２０
及びラック２１を介して光ピックアップ８を前進ａ方向に移動させ、それに連動するトリ
ガー機構（図示せず）を介してカムスライダ１０を矢印ｆ方向にスライドさせることによ
り、カムラック１４を第１ピニオン１３に噛合させ、該第１ピニオン１３を正転ｇさせて
カムスライダ１０を矢印ｆ方向にさらにスライドさせることにより、カム機構１１を介し
てトラバースシャーシ３を下動ｄさせ（図９仮想線参照）、ターンテーブル６上のディス
クＤをトレイ１上に移し替える。
【０００９】
その後、各ガイドピン１７を各ガイド枠１８の傾斜面１８ａに押し付けることにより、
トレイ１をわずかに前進ａさせてトレイラック１６を第２ピニオン１５に噛合させ、該第
２ピニオン１５をタイマー制御で一定時間（例えば２〜５秒）だけ正転ｇさせることによ
り、トレイラック１６を介してトレイ１を前進ａさせ、該トレイ１を最前進ａ位置で停止
させる。トレイイン時には、上記とは逆の手順で操作が行われる。なお、関連する技術と
して特許文献１、２に記載したものがある。
【特許文献１】特開２００６−１５５７３１号公報
【特許文献２】特開２００３−１００００４号公報
【発明の開示】
【発明が解決しようとする課題】
【００１０】
上記従来の構成では、図１０に仮想線Ｔで示すように、トレイ１を最前進ａさせたとき
に、該トレイ１が第２ピニオン１５の正転ｇ方向への回転力Ｆにより押圧されて横方向に
首振りされ、ローダーシャーシ２の中心軸Ｏ１に対してトレイ１の中心軸Ｏ２がわずかの
角度αであるが位置ずれして、外観上の体裁を悪くしたり、最前進ａ位置のトレイ１を後
進ｂさせたときに、該トレイ１の首振りが修正され、その修正の際に雑音が発生して、ユ
ーザに不快感を与えるおそれがある。
【００１１】
図９に２点鎖線で示すように、トレイ１を最前進ａさせたときに、該トレイ１の重心が
ローダーシャーシ２より前方に移動してその前端が重くなるので、図９に１点鎖線で示す
ように、トレイ１の前端がわずかの角度βであるが下がって外観上の体裁が悪くなる。
【００１２】
本発明は、上記従来の欠点に鑑み、最前進させたトレイが首振りしたりその前端が下が
ることがないようにしたディスク装置を提供することを目的としている。
【課題を解決するための手段】
【００１３】
上記目的を達成するため、請求項１に記載の発明は、ディスク載置用トレイがローダー
シャーシに前後進可能に配置され、ターンテーブルと光ピックアップとを搭載したトラバ
ースシャーシが前記ローダーシャーシ内に上下動可能に配置され、該ローダーシャーシの
前部にカムスライダが前後進方向とは直交する左右方向に沿ってスライド可能に配置され
、該カムスライダとトラバースシャーシの前部とがカム機構を介して連動連結され、前記
ローダーシャーシの前部に第１ピニオンが正逆回転可能に配置され、該第１ピニオンに噛
合可能なカムラックが前記カムスライダに設けられ、前記第１ピニオンに第２ピニオンが
同心状に一体形成され、該第２ピニオンに噛合可能なトレイラックが前記トレイの裏面に
前後進方向に沿って形成され、前記カムスライダにガイドピンが突設されると共に、該ガ
イドピンに係合可能な傾斜面付きガイド枠がトレイの裏面に突設されており、プレイモー
ドで、ターンテーブルによりディスクを高速回転させて、該ディスクに記録されている情
報を光ピックアップにより読み取り、トレイオープン時に、カムラックを第１ピニオンに
噛合させ、該第１ピニオンを正転させることによりカムスライダを左右一方向にスライド
させ、カム機構を介してトラバースシャーシを下動させることによりターンテーブルから
トレイ上にディスクを移し替え、ガイドピンをガイド枠の傾斜面に押しつけてトレイを若
干前進させることによりトレイラックを第２ピニオンに噛合させ、該第２ピニオンを正転
させることによりトレイラックを介してトレイを前進させるようにしたディスク装置にお
いて、前記ローダーシャーシの前部に基準片が設けられると共に、該基準片の第１、第２
のピニオンに対向するピニオン対向側面が前後進方向に沿って形成され、前記基準片に対
向して前記トレイの裏面に前後進方向に沿って突条片が設けられており、トレイを最前進
させたときに突条片を基準片のピニオン対向側面に当接させて該トレイの首振りを防止す
るように形成され、前記ガイド枠がトレイの裏面前部の中央に一つだけ突設され、前記ト
レイの裏面後部のトレイラック近傍に錘が設けられていることを特徴している。
【００１４】
請求項２に記載の発明は、ディスク載置用トレイがローダーシャーシに前後進可能に配
置され、ターンテーブルと光ピックアップとを搭載したトラバースシャーシが前記ローダ
ーシャーシ内に上下動可能に配置され、該ローダーシャーシの前部にカムスライダが前後
進方向とは直交する左右方向に沿ってスライド可能に配置され、該カムスライダとトラバ
ースシャーシの前部とがカム機構を介して連動連結され、前記ローダーシャーシの前部に
第１ピニオンが正逆回転可能に配置され、該第１ピニオンに噛合可能なカムラックが前記
カムスライダに設けられ、前記第１ピニオンに第２ピニオンが同心状に一体形成され、該
第２ピニオンに噛合可能なトレイラックが前記トレイの裏面に前後進方向に沿って形成さ
れ、前記カムスライダにガイドピンが突設されると共に、該ガイドピンに係合可能な傾斜
面付きガイド枠がトレイの裏面に突設されており、プレイモードで、ターンテーブルによ
りディスクを高速回転させて、該ディスクに記録されている情報を光ピックアップにより
読み取り、トレイオープン時に、カムラックを第１ピニオンに噛合させ、該第１ピニオン
を正転させることによりカムスライダを左右一方向にスライドさせ、カム機構を介してト
ラバースシャーシを下動させることによりターンテーブルからトレイ上にディスクを移し
替え、ガイドピンをガイド枠の傾斜面に押しつけてトレイを若干前進させることによりト
レイラックを第２ピニオンに噛合させ、該第２ピニオンを正転させることによりトレイラ
ックを介してトレイを前進させるようにしたディスク装置において、前記ローダーシャー
シの前部に基準片が設けられると共に、該基準片に対向してトレイの裏面に突条片が設け
られており、トレイを最前進させたときに突条片を基準片に当接させて該トレイの首振り
を防止するようにしたことを特徴としている。
【００１５】
請求項３に記載の発明は、請求項２に記載の発明において、前記ガイド枠がトレイの裏
面前部の中央に一つだけ突設されていることを特徴としている。
【００１６】
請求項４に記載の発明は、請求項２または３に記載の発明において、前記トレイの裏面
後部のトレイラックの近傍に錘が設けられていることを特徴としている。
【発明の効果】
【００１７】
請求項１に記載の発明は実施の一形態（図１〜図７参照）に対応するものであって、こ
れによれば、トレイを最前進させたときに、該トレイが第２ピニオンの正転方向への回転
力により横方向に押圧されても、そのトレイの突条片がローダーシャーシの基準片のピニ
オン対向側面に当接されて横方向への押圧力に抗するので、トレイが従来のように首振り
したりせず、該トレイの中心軸をローダーシャーシの中心軸に一致させて、そのトレイを
直線的に前後進させることができ、その前後進の際に従来のように雑音が発生せず、外観
上の体裁を良好に維持することができる。
【００１８】
また、トレイの裏面に従来では２つあったガイド枠が１つに減らされており、その減っ
た分だけトレイの前端が軽くなるので、該トレイを円滑に前後進させることができると共
に、そのトレイを最前進させたときにその先端が下がらないようにして外観上の体裁を良
好に維持することができる。
【００１９】
更に、トレイの裏面後部に錘を設けることにより該トレイの重心が後方に移っているの
で、そのトレイを最前進させたときにその先端が一層確実に下がらないようにして外観上
の体裁を良好に維持することができる。
【００２０】
特に、錘をトレイラックの近傍に設けており、トレイを最前進させたときに、第２ピニ
オンからその錘までの距離が小さいから、第２ピニオンの正転による回転力に基づいて錘
にかかる回転モーメントも小さくなって、突条片が基準片に過度に押し付けられることが
なく、トレイを静音状態で円滑に前後進させることができる。
【００２１】
請求項２に記載の発明は基本形成に対応するものであって、これによれば、トレイを最
前進させたときに、該トレイが第２ピニオンの正転方向への回転力により横方向に押圧さ
れても、そのトレイの突条片がローダーシャーシの基準片のピニオン対向側面に当接され
て横方向への押圧力に抗するので、トレイが従来のように首振りしたりせず、該トレイの
中心軸をローダーシャーシの中心軸に一致させて、そのトレイを直線的に前後進させるこ
とができ、その前後進の際に従来のように雑音が発生せず、外観上の体裁を良好に維持す
ることができる。
【００２２】
請求項３に記載の発明によれば、トレイの裏面に従来では２つあったガイド枠が１つに
減らされており、その減った分だけトレイの前端が軽くなるので、該トレイを円滑に前後
進させることができると共に、そのトレイを最前進させたときにその先端が下がらないよ
うにして外観上の体裁を良好に維持することができる。
【００２３】
請求項４に記載の発明によれば、トレイの裏面後部に錘を設けることにより該トレイの
重心が後方に移っているので、そのトレイを最前進させたときにその先端が一層確実に下
がらないようにして外観上の体裁を良好に維持することができる。
【００２４】
特に、錘をトレイラックの近傍に設けており、トレイを最前進させたときに、第２ピニ
オンからその錘までの距離が小さいから、第２ピニオンの正転による回転力に基づいて錘
にかかる回転モーメントも小さくなって、突条片が基準片に過度に押し付けられることが
なく、トレイを静音状態で円滑に前後進させることができる。
【発明を実施するための最良の形態】
【００２５】
図１〜図７は本発明の実施の一形態であるディスク装置を示すものであって、図１は同
プレイモード状態を示す平面図、図２は同縦断面図、図３は同トレイオープン状態を示す
一部切欠き平面図、図４は同トレイの裏面側斜視図、図５は同基準片及び突条片の付近の
拡大斜視図、図６は同錘の付近の拡大斜視図、図７は同錘の作用を示すトレイの概略平面
図である。
【００２６】
図１〜図５に示すように、ローダーシャーシ２の前板部２ａ上に平面視長円形の基準片
２５が一体突設されると共に、該基準片２５の第１、第２のピニオン１３，１５に対向す
るピニオン対向側面２５ａが前後進ａ，ｂ方向に沿って形成され、そのピニオン対向側面
２５ａに当接または接近する突条片２６がトレイ１の裏面にそのほぼ全長にわたって前後
進ａ，ｂ方向に沿って一体突設されている。
【００２７】
プレイモードやトレイオープン時及びトレイイン時の動作は従来例（図８〜図１１参照
）とほぼ同じであるから、その説明を省略する。
【００２８】
上記構成によれば、トレイインの状態（図１及び図２実線参照）からトレイ１を前進ａ
させると、突条片２６が基準片２５のピニオン対向側面２５ａに沿って移動され、図３に
示すように、トレイ１を最前進ａさせたときに、該トレイ１が第２ピニオン１５の正転ｇ
方向への回転力Ｆにより横方向に押圧されても、突条片２６が基準片２５のピニオン対向
側面２５ａに当接されて横方向への押圧力に抗するので、トレイ１が従来のように首振り
したりせず（図１０参照）、該トレイ１の中心軸Ｏ２をローダーシャーシ２の中心軸Ｏ１
に一致させて、そのトレイ１を直線的に前後進ａ，ｂさせることができ、その前後進ａ，
ｂの際に従来のように雑音が発生せず、外観上の体裁を良好に維持することができる。
【００２９】
図３に示すように、ガイド枠１８がトレイ１の裏面前部の中央に一つだけ突設され、そ
れに対応して、カムスライダ１０の中央にガイドピン１７が一つだけ突設されている。
【００３０】
上記構成によれば、トレイ１の裏面に従来（図１０参照）では２つあったガイド枠１８
が１つに減らされており、その減った分だけトレイ１の前端が軽くなるので、該トレイ１
を円滑に前後進ａ，ｂさせることができると共に、そのトレイ１を最前進ａさせたときに
その先端が下がらないようにして外観上の体裁を良好に維持することができる（図２仮想
線参照）。
【００３１】
図４及び図６に示すように、トレイ１の裏面後部のトレイラック１６の近傍に円筒軸２
８が一体突設され、該円筒軸２８に周方向に沿って所定間隔をおいて一対のスリット２９
を形成し、該両スリット２９間に切り残した弾性片３０の先端外周面にフック３１が一体
突設され、トレイ１の重心を該トレイ１の後方に移すための所定重量（例えば１０ｇ）の
リング状錘３２が用いられており、該錘３２の中心孔３２ａを円筒軸２８に外嵌させて弾
性片３０を弾性変位させ、フック３１を錘３２に係合させることにより、その錘３２がト
レイラック１６に係止されている。
【００３２】
上記構成によれば、トレイ１の裏面後部に錘３２を設けることにより該トレイ１の重心
が後方に移っているので、そのトレイ１を最前進ａさせたときにその先端が一層確実に下
がらないようにして外観上の体裁を良好に維持することができる。
【００３３】
図７の仮想線は参考例を示すものであって、錘３２をトレイラック１６から離れた位置
に設けた場合には、トレイ１を最前進ａさせたときに、第２ピニオン１５からその錘３２
までの距離Ｌ１が大きいため、第２ピニオン１５の正転ｇによる回転力Ｆに基づいて錘３
２にかかる回転モーメントＭａが大きくなって、突条片２６が基準片２５に過度に押し付
けられ、不快な接触音が発生したり、トレイ１の前後進ａ，ｂを円滑に行うことが困難に
なったりするおそれがある。
【００３４】
これに対して、本発明の実施の一形態によれば、図７に破線で示すように、錘３２をト
レイラック１６の近傍に設けており、トレイ１を最前進ａさせたときに、第２ピニオン１
５からその錘３２までの距離Ｌ２が小さいから、第２ピニオン１５の正転ｇによる回転力
Ｆに基づいて錘３２にかかる回転モーメントＭｂも小さくなって、突条片２６が基準片２
５に過度に押し付けられることがなく、トレイ１を静音状態で円滑に前後進ａ，ｂさせる
ことができる。
【図面の簡単な説明】
【００３５】
【図１】本発明の実施の一形態であるディスク装置におけるプレイモード状態を示す平面図である。
【図２】同縦断面図である。
【図３】同トレイオープン状態を示す一部切欠き平面図である。
【図４】同トレイの裏面側斜視図である。
【図５】同基準片及び突条片の付近の拡大斜視図である。
【図６】同錘の付近の拡大斜視図である。
【図７】同錘の作用を示すトレイの概略平面図である。
【図８】従来例におけるプレイモード状態を示す平面図である。
【図９】同縦断面図である。
【図１０】同トレイオープン状態を示す一部切欠き平面図である。
【図１１】同トレイの裏面側斜視図である。
【符号の説明】
【００３６】
１          トレイ
２          ローダーシャーシ
３          トラバースシャーシ
６          ターンテーブル
８          光ピックアップ
１０        カムスライダ
１１        カム機構
１３        第１ピニオン
１４        カムラック
１５        第２ピニオン
１６        トレイラック
１７        ガイドピン
１８        ガイド枠
１８ａ      ガイド枠の傾斜面
２５        基準片
２５ａ      基準片のピニオン対向側面
２６        突条片
３２        錘
Ｄ          ディスク
【図１】
2008130148.tif 000003
【図２】
2008130148.tif 000004
【図３】
2008130148.tif 000005
【図４】
2008130148.tif 000006
【図５】
2008130148.tif 000007
【図６】
2008130148.tif 000008
【図７】
2008130148.tif 000009
【図８】
2008130148.tif 000010
【図９】
2008130148.tif 000011
【図１０】
2008130148.tif 000012
【図１１】
2008130148.tif 000013